(57)【特許請求の範囲】
【請求項１】
被検液を採取した後に測定機器内に挿入され、被検液を分析するための被検液分析用チップであって、
前記被検液分析用チップの側面に設けられた突起部の側面に形成されており、被検液が接触する接触口と、
前記測定機器内に挿入された状態において当該測定機器内にあり、被検液が貯留される被検液貯留部と、
前記接触口と前記被検液貯留部に連通して、前記被検液を測定機器内に導入する導入路と、
前記測定機器内に挿入される際に把持され、挿入された状態において測定機器外に位置する把持部と、を備え、
前記測定機器内に挿入された状態において、前記接触口が、前記測定機器外において前記把持部とは異なる位置に設けられており、
前記測定機器内への挿入方向に対して、前記被検液貯留部、前記接触口、前記把持部がこの順番で並んでおり、
当該被検液分析用チップが平面視において前記挿入方向の幅寸法が前記挿入方向に対して垂直な方向の幅寸法よりも大きい形状をなすとともに、
前記接触口が前記突起部の側面における前記把持部側に開口しており、
前記導入路が前記接触口から前記被検液貯留部へと挿入方向に対して斜めに延びている被検液分析用チップ。
【請求項２】
前記接触口が、前記測定機器外において前記測定機器と前記把持部との間に設けられている請求項１記載の被検液分析用チップ。
【請求項３】
前記把持部が、挿入側端部と反対側の反挿入側端部に設けられ、
前記測定機器に挿入された状態において、前記接触口が、測定機器外における反挿入側端部以外の面に設けられている請求項１又は２記載の被検液分析用チップ。
【請求項４】
前記突起部が、平面視において曲線状をなすものである請求項１、２又は３記載の被検液分析用チップ。
【請求項５】
前記測定機器への誤挿入を防止する誤挿入防止構造を備える請求項１、２、３又は４記載の被検液分析用チップ。
【請求項６】
前記防止構造が、表裏反対の挿入を防止するものであり、前記挿入側端部の形状を長手方向の中心軸に対して非対称形状にすることにより構成されている請求項５記載の被検液分析用チップ。
【請求項７】
前記防止構造が、前記反挿入側端部からの挿入を防止するものであり、前記反挿入側端部の幅を、前記測定機器のチップ挿入口の開口幅よりも大きくすることにより構成されている請求項６記載の被検液分析用チップ。
【発明の詳細な説明】
【技術分野】
【０００１】
この発明は、測定機器内に挿入されて、当該測定機器によって被検液を分析するための被検液分析用チップに関するものである。
【背景技術】
【０００２】
従来、被検液分析用チップとしては、特許文献１に示すように、血液を採取した分析用チップを装置内に挿入して、当該チップ内の血液を分析するものがある。
【０００３】
しかしながら、挿入時及び測定時において、血液との接触口が装置内に配置されることになるため、接触口付近に血液が付着している場合には、装置内が血液で汚れてしまうという問題がある。
【０００４】
また、特許文献２に示すように、被検液分析用チップの挿入側端部と反対側の端部に接触口が設けられているものがある。このようなものであれば、挿入時及び測定時において、装置内に接触口が配置されることはない。
【０００５】
しかしながら、装置内に挿入する際に、手が血液で汚れてしまい、感染などの危険性があるという問題がある。
【特許文献１】特開２００２−３６９８１６号公報
【特許文献１】特開平１１−５６８２１号公報
【発明の開示】
【発明が解決しようとする課題】
【０００６】
そこで本発明は、上記問題点を一挙に解決するためになされたものであり、測定機器の内部の汚染を防ぐとともに、作業者の汚染を防ぐことをその主たる所期課題とするものである。
【課題を解決するための手段】
【０００７】
すなわち本発明に係る被検液分析用チップは、測定機器内に挿入され、被検液を分析するための被検液分析用チップであって、被検液が接触する接触口と、前記接触口に連通して、前記被検液を測定機器内に導入する導入路と、前記測定機器内に挿入する際に把持され、挿入された状態において測定機器外に位置する把持部と、を備え、前記測定機器内に挿入された状態において、前記接触口が、前記測定機器外において前記把持部とは異なる位置に設けられていることを特徴とする。
【０００８】
このようなものであれば、接触口が測定機器の内部に触れることがなく、また、測定機器内に挿入する際にも、作業者が触れることがないので、測定機器の内部及び作業者の汚染を防ぐことができる。
【０００９】
作業者が接触口に触れないことを確実にするための実施の態様としては、前記接触口が、前記測定機器外において前記測定機器と前記把持部との間に設けられていることが望ましい。
【００１０】
また、上記構成を簡単に実現するための具体的な実施の態様としては、前記把持部が、挿入側端部と反対側の反挿入側端部に設けられ、前記測定機器に挿入された状態において、前記接触口が、測定機器外における反挿入側端部以外の面に設けられていることが望ましい。
【００１１】
接触口付近において、指などの被検液提供部位との接触面積を可及的に小さくして、接触口付近に付着する被検液による汚れを少なくするためには、前記接触口が突起部に形成されていることが望ましい。
【００１２】
被検液提供部位との接触面積を一層小さくするためには、前記突起部が、平面視において曲線状をなすものであることが望ましい。
【００１３】
また、被検液分析用チップを正しい向きで確実に測定機器へ挿入できるようにするには、前記測定機器への誤挿入を防止する誤挿入防止構造を備えることが望ましい。
【００１４】
より具体的には、前記誤挿入防止構造が、表裏反対の挿入を防止するものであり、誤挿入防止構造の構成を簡単にするためには、前記挿入側端部の形状を長手方向の中心軸に対して非対称形状にすることにより形成されていることが望ましい。これならば、測定機器の挿入口内部の形状を被検液分析用チップの挿入側端部に対応する非対称形状とすることにより、表裏反対の場合の挿入を防止することができ、表裏が正しい場合のみの挿入を確実に行うことができる。
【００１５】
また、前記誤挿入防止構造が、前後反対の挿入を防止するもの、つまり反挿入側端部からの挿入を防止するものであり、誤挿入防止構造の構成を簡単にするためには、前記反挿入側端部の幅を、前記測定機器のチップ挿入口の開口幅よりも大きくすることにより形成されていることが望ましい。
【００１６】
この誤挿入防止構造によれば、被検液分析用チップが仮に表裏反対又は前後反対の誤った方向で挿入されたとしても、測定機器の内部まで完全に挿入されることを防止することができる。一方で、被検液分析用チップ全体が、例えば直線的な形状である場合、ユーザが目視により確認して使用しなければならず、表裏反対又は前後反対で測定機器内に挿入される可能性がある。前記のような構成により、誤挿入を確実に防止し、被検液分析用チップが正しく挿入されないことによる誤動作や故障を防ぐことができる。
【発明の効果】
【００１７】
このように本発明によれば、測定機器の内部の汚染を防ぐとともに、作業者の汚染を防ぐことができる。
【発明を実施するための最良の形態】
【００１８】
次に、本発明に係る被検液分析用チップ１の一実施形態について図面を参照して説明する。なお、図１は本実施形態に係る被検液分析用チップ１及び濃度測定装置Ｚを示す図、図２は被検液分析用チップ１の斜視図、図３は被検液分析用チップ１の平面図、図４はＡ−Ａ線断面図、図５は被検液分析用チップ１の分解斜視図である。
【００１９】
＜装置構成＞
【００２０】
本実施形態に係る被検液分析用チップ１は、電極センサＺ３を用いた濃度測定装置Ｚに用いられるものである。
【００２１】
濃度測定装置Ｚは、例えば血液中の血糖値を測定するものであり、図１に示すように、被検液分析用チップ１が挿入される挿入口Ｚ１と、当該挿入口Ｚ１に挿入された被検液分析用チップ１の位置決めを行う位置決め機構Ｚ２と、位置決めされた被検液分析用チップ１に対して進退移動する酵素電極センサＺ３と、当該酵素電極センサＺ３に対して測定用電圧を印加する測定用電源Ｚ４と、酵素電極センサＺ３から出力される電流を検出する電流検出部Ｚ５と、前記測定用電源Ｚ４を制御するとともに、検出電流を微分演算し、その微分値の最大値を検出して被検液中の測定対象物質の濃度を算出する演算部Ｚ６とを備えている。酵素電極センサＺ３は、先端部に白金（Ｐｔ）電極を備え、その表面にグルコースオキシターゼ（ＧＯＤ）固定化膜が被膜されている。
【００２２】
具体的に被検液分析用チップ１は、図２、図３及び図４に示すように、一部側面に突起形状を有する平面視概略矩形形状をなすものであり、被検液である血液が接触する接触口２と、当該接触口２に連通して、血液を毛細管現象により内部に導入する導入路３と、当該導入路３の終端部側に設けられ、血液の導入に伴う空気の排出を行う空気孔４と、当該導入路３における接触口２及び空気孔４の間に設けられ、導入路３と外部とを連通し、電極センサＺ３が接触する開口部５と、当該開口部５の導入路３側開口に設けられ、血液中から測定対象物質である血漿及び血清を分離して開口部５に通過させる分離膜６と、を備えている。
【００２３】
さらに、特に図２に示すように、導入路３には、接触口２と空気孔４との間に、流路幅が拡開する被検液貯留部７が形成されている。そして、この被検液貯留部７を形成する側壁に開口部５が形成されている（図４参照）。なお、図２、図３等において、符号８は、濃度測定装置Ｚへの位置決め時に、位置決め機構Ｚ２のピン等が挿入される位置決め孔である。
【００２４】
このような被検液分析用チップ１において、挿入側端部１Ｄと反対側の反挿入側端部１Ａが、測定機器である濃度測定装置Ｚ内に挿入する際に、作業者（ユーザ）によって把持される把持部となる。ここで、挿入側端部１Ｄとは、図３中において、挿入方向の先端部である。また反挿入側端部１Ａとは、図３中において、挿入方向の後端部である。
【００２５】
つまり、把持部１Ａは、被検液分析用チップにおける挿入方向の後端部であり、後端部の上面１Ａ１及び下面１Ａ２及びその後端面１Ａ３を含む。そして、把持部１Ａは、被検液分析用チップ１が濃度測定装置Ｚの挿入口Ｚ１に挿入された状態において、濃度測定装置Ｚの外部（挿入口Ｚ１の外）に位置する。
【００２６】
しかして本実施形態の被検液分析用チップ１は、濃度測定装置Ｚの挿入口Ｚ１に挿入された状態において、その接触口２が、濃度測定装置Ｚの外部（挿入口Ｚ１の外）に位置し、さらに把持部１Ａとは異なる場所に設けられている。
【００２７】
具体的に接触口２は、被検液分析用チップ１が挿入口Ｚ１に挿入された状態において、濃度測定装置Ｚ（の挿入口Ｚ１）と把持部１Ａとの間に設けられている。
【００２８】
より詳細には、被検液分析用チップ１の側面（具体的には左側面）に設けられた平面視曲線状をなす突起部１Ｂに設けられている（図２及び図３参照）。本実施形態の突起部１Ｂは、図３に示すように、平面視において部分円状、具体的には半円状をなすものである。このように、突起部１Ｂが被検液分析用チップ１における側面に設けられているので、突起部１Ｂを有するチップ１の製作を簡単にすることができる。
【００２９】
なお、突起部１Ｂの挿入側側面は、引っ掛かり部として機能する。つまり、突起部１Ｂの挿入側側面により、被検液分析用チップ１の幅が、濃度測定装置Ｚの挿入口Ｚ１の幅よりも大きい構造となる。これにより、被検液分析用チップ１を挿入口Ｚ１に挿入できるのは、突起部１Ｂが設けられている部分までであり、それ以上挿入されることがなく、誤って接触口２が装置内に入ることを防止できる。
【００３０】
そして、本実施形態の被検液分析用チップ１は、下基板１１、中間部材１２及び上基板１３の三層構造により構成されている。以下、下基板１１、中間部材１２及び上基板１３の説明とともに、上記各部２〜７、１Ａ及び１Ｂについて説明する。
【００３１】
下基板１１は、一部側面に突起形状を有する概略矩形板状をなす親水性を有する基板である。本実施形態では、ＰＥＴやアクリル等の樹脂製の基板の表面に親水コーティングを行うことにより構成している。親水コーティングとしては、ヘパリン等の多糖類、ＤＮＡ等のヌクレチド類又は界面活性剤などの化合物をコーティングすることが考えられる。なお、プラズマ処理により親水性を付加したものでも良い。
【００３２】
また、その反挿入側端部の側面には、突起部１Ｂを形成する平面視半円状の下基板突起１１１が形成されている。そして、後述する中間部材１２の貯留スリット１２３に対応する部分には、開口部５を形成する貫通孔１１２が形成されている。
【００３３】
貫通孔１１２の内径は、酵素電極センサＺ３の先端部の直径よりも小さい。言い換えれば、開口部５は、酵素電極センサＺ３の先端部の直径よりも小さい。これにより、測定の際、酵素電極センサＺ３の先端部は、開口部５の外部側の開口縁部に接触する。
【００３４】
そして、この貫通孔１１２の上面側（中間部材１２の接触面側）の開口縁部には、分離膜６が取り付けられている。これにより、分離膜６が開口部５の導入路３側開口に設けられていることになり、分離膜６が、外部に接触して破損することを防ぐことができる。
【００３５】
分離膜６は、血液中から血球以外の血漿及び血清等の非血球成分を通過させる微小孔を多数有する、例えばポリエチレンテレフタレート（ＰＥＴ）膜である。なお、分離膜６としては、その他、ポリカーボネート膜等でもよい。
【００３６】
中間部材１２は、一部側面に突起形状を有する概略矩形板状をなす薄板部材であり、本実施形態では両面テープである。また、その反挿入側端部の側面には、突起部１Ｂを形成する平面視半円状の中間部材突起１２１が形成されている。
【００３７】
そして、中間部材１２は、図２〜図５に示すように、下基板１１及び下基板１１が接着又は接合されることにより、下基板１１の上面及び上基板１３の下面とともに、導入路３を形成する導入スリット１２２と、被検液貯留部７を形成する貯留スリット１２３と、を備えている。
【００３８】
導入スリット１２２は、特に図２に示すように、一端が中間部材突起１２１の側面に開口し、中間部材１２の長手方向に沿って直線状に形成されている。具体的には、導入スリット１２２の一端は、中間部材突起１２１の反挿入側（挿入方向と反対側）で開口するように形成されている。これにより、接触口２が突起部１Ｂにおいて反挿入側を向くように形成され、作業者が被検液分析用チップ１を持ちながら接触口２に血液を付着させやすくすることができる。
【００３９】
貯留スリット１２３は、導入スリット１２２の下流側においてスリット幅が拡開して所定量の被検液（血液）を貯留するためのものである。具体的には、貯留スリット１２３は、平面視において、概略円形状をなすものである。
【００４０】
このような構成において、下基板１１及び上基板１３を接着又は接合することにより、導入路３及び被検液貯留部７が形成される。
【００４１】
上基板１３は、図２、図３及び図５に示すように、前記下基板１１と同様、一部側面に突起形状を有する概略矩形板状をなす親水性を有する基板であり、空気孔４となる貫通孔１３２を備えている。また、その反挿入側端部の側面には、突起部１Ｂを形成する平面視半円状の上基板突起１３１が形成されている。
【００４２】
そして、上基板１３は、中間部材１２に取り付けられた状態において、その貫通孔１３２が導入スリット１２２の終端部に連通する（図４参照）。そして、その上基板１３の下面、中間部材１２の導入スリット１２２の内面及び下基板１１の上面により、導入路３を形成し、また、その下面、貯留スリット１２３の内面及び上面により、被検液貯留部７を形成する。
【００４３】
また、本実施形態の被検液分析用チップ１は、開口部５が形成されている部材が、酵素電極センサＺ３の接触により導入路３側に撓むものである。
【００４４】
具体的には、下基板１１の貫通孔１１２が形成された部分が、測定時に酵素電極センサＺ３が接触した後、その酵素電極センサＺ３の移動に伴って、酵素電極センサＺ３に接触しながら弾性的に撓む。より詳細には、下基板１１の厚みが、酵素電極センサＺ３の移動に伴って撓むように調整されている。これにより、接触による電極センサＺ３の破損及びチップ１の破損を防ぐことができる。
【００４５】
＜製作方法＞
【００４６】
次に、本実施形態に係る被検液分析用チップ１の製作方法について、図５を参照して説明する。まず、概略矩形板状に加工した下基板１１に、例えば切削加工により貫通孔１１２を形成する。また、概略矩形板状に加工した上基板１３に、例えば切削加工により空気孔４である貫通孔１３２を形成する。さらに、概略矩形板状に加工した中間部材１２（両面テープ）に、中間部材突起１２１の反挿入側に一端が開口するように導入スリット１２２及び貯留スリット１２３を形成する。次に、下基板１１の上面に、貫通孔１１２を覆うように分離膜６を取り付ける。
【００４７】
そして、その下基板１１、中間部材１２及び上基板１３を接着させる。このとき、上基板１３の貫通孔１３２が導入スリット１２２の終端部に連通するように、また下基板１１の貫通孔１１２が中間部材１２の貯留スリット１２３に連通するように、接着させる。
【００４８】
このようにして、内部に導入路３、導入路３上に設けられた被検液貯留部７及び当該被検液貯留部７に設けられた分離膜６を有する概略矩形板状のアクリル製の被検液分析用チップ１が製作される。
【００４９】
なお、素材としては、アクリル以外の樹脂又はガラス等の無機材料でも製作可能であるが、素材により表面状態が異なるため、毛細管力にも違いがある。そのため各素材に合わせて導入路３の断面形状を変える必要がある。
【００５０】
＜本実施形態の効果＞
【００５１】
このように構成した本実施形態の被検液分析用チップ１によれば、接触口２が測定機器の内部に触れることがなく、また、測定機器内に挿入する際にも、作業者が触れることがないので、測定機器の内部及び作業者の汚染を防ぐことができる。
【００５２】
さらに、接触口２を平面視半円状の突起部１Ｂに形成しているので、指などの血液提供部位と接触口２との接触面積を可及的に小さくすることができるので、接触口２の周囲における血液による汚れを低減することができる。
【００５３】
＜その他の変形実施形態＞
【００５４】
なお、本発明は前記実施形態に限られるものではない。以下の説明において前記実施形態に対応する部材には同一の符号を付すこととする。
【００５５】
例えば、前記実施形態では、被検液分析用チップ１は、下基板１１、中間部材１２及び上基板１３からなる三層構造であったが、図６に示すように、下基板１１及び上基板１３からなる二層構造により構成しても良い。この場合、下基板１１は、その上面には、上基板１３が接着又は接合されることにより、上基板１３の下面とともに、導入路３を形成する凹溝１１ａと、被検液貯留部７を形成する貯留溝１１ｂと、開口部５を形成する貫通孔１１２とを備えている。
【００５６】
また、図７に示すように、下基板１１において、貫通孔１１２の上面側の開口縁部に、分離膜６を収容して固定するための環状段部１１３を形成しても良い。環状段部１１３の深さは、分離膜６の厚さと略同一である。これにより、分離膜６が環状段部１１３内に収容された場合、下基板１１の上面と分離膜６の上面とが面一となる。これにより、分離膜６が導入路３（被検液貯留部７）内の毛細管現象を妨げることなく、血液が導入路３（被検液貯留部７）を流れやすくすることができる。
【００５７】
また、前記実施形態の被検液分析用チップ１が、測定機器Ｚへの誤挿入を防止する誤挿入防止構造を備えるものであれば、測定機器Ｚの挿入口Ｚ１へ正しい向きで挿入することができる。
【００５８】
誤挿入防止構造としては、被検液分析用チップ１を表裏反対で挿入することを防止するものと、被検液分析用チップ１を前後反対で挿入することを防止するものが考えられる。これらについて図８及び図９を参照して説明する。図９において（Ａ）は正しく挿入された状態を、（Ｂ）及び（Ｃ）は表裏反対で挿入された状態、（Ｄ）は前後反対で挿入された状態を示す。また、図９の（Ａ）及び（Ｄ）において、被検液分析用チップ１に施されたハッチングは着色されていることを表している。
【００５９】
まず、被検液分析用チップ１を表裏反対で挿入することを防止する誤挿入防止構造について説明する。この誤挿入防止構造は、被検液分析用チップ１の挿入側端部１Ｄの形状を長手方向の中心軸Ｂ−Ｂに対して非対称形状とすることにより構成されている。このとき、測定機器Ｚの挿入口Ｚ１の形状は、図８及び図９に示すように、被検液分析用チップ１を表裏正しく挿入した場合にのみ被検液分析用チップ１を挿入した場合にのみ挿入可能となるように、挿入側端部１Ｄの非対称形状に対応した形状となっている。ここで、表裏正しく挿入するとは、被検液分析用チップ１に設けられた開口部５（分離膜６）が酵素電極センサＺ３側を向くように挿入することである。
【００６０】
このようなものであれば、ユーザが被検液分析用チップ１を裏返した状態で測定機器Ｚに挿入した場合、図９（Ｂ）及び（Ｃ）に示すように、挿入側端部１Ｄは挿入口Ｚ１につかえてしまい、測定可能な位置まで被検液分析用チップ１を挿入することができず、誤挿入を防止することができる。また、誤挿入された場合でも接触口２が常に測定機器Ｚ外に位置することになり、装置Ｚ内部を汚すことがない。
【００６１】
次に、被検液分析用チップ１を前後反対で挿入すること、つまり反挿入側端部１Ａからの挿入を防止する誤挿入防止構造について説明する。この誤挿入防止構造は、被検液分析用チップ１の反挿入側端部１Ａの幅を、測定機器Ｚの挿入口Ｚ１の開口幅よりも大きくすることにより構成されている。このとき、挿入口Ｚ１の開口幅は、被検液分析用チップ１の挿入側端部１Ｄの幅に対応した幅であることから、反挿入側端部１Ａの幅は、挿入側端部１Ｄの幅よりも大きい。なお、この誤挿入防止構造を前記実施形態の突起部１Ｂにより構成しても良い。
【００６２】
このようなものであれば、ユーザが被検液分析用チップ１を反挿入側端部１Ａから測定機器Ｚに挿入した場合、図９（Ｄ）に示すように、挿入側端部１Ｄは挿入口Ｚ１につかえてしまい、測定可能な位置まで被検液分析用チップ１を挿入することができず、誤挿入を防止することができる。また、前述した表裏反対の場合と同様に、誤挿入された場合でも接触口２が常に測定機器Ｚ外に位置することになり、装置Ｚ内部を汚すことがない。
【００６３】
さらに、誤挿入防止構造として、挿入側端部１Ｄ又は反挿入側端部１Ａの一方のみに着色を施す、又は挿入側端部１Ｄ及び反挿入側端部１Ａに異なる着色を施すことによって構成しても良い。図９の（Ａ）及び（Ｄ）には反挿入側端部１Ａのみに着色を施した場合を示している。なお、図８において着色は図示していない。これにより、ユーザは、挿入側端部１Ｄと反挿入側端部１Ａとを視覚的に区別でき、より確実に誤挿入を防止することができる。
【００６４】
その上、誤挿入防止構造として、被検液分析用チップ１の表面又は裏面の一方のみに着色を施す、又は被検液分析用チップ１の表面又は裏面に異なる着色を施すことによって構成しても良い。これにより、ユーザは、被検液分析用チップ１の表面と裏面とを視覚的に区別でき、より確実に誤挿入を防止することができる。なお、着色に加えて、又は着色の代わりに、文字を表示して区別することもできる。
【００６５】
さらに、前記実施形態の中間部材１２は両面テープであったが、上基板１３及び下基板１１と同様、親水性を有する基板を用いても良い。この場合、少なくとも導入スリット１２２及び貯留スリット１２３の内面に親水コーティングを行う。この場合、上基板１３、中間部材１２及び下基板１１を接着又は接合する方法としては、両面テープを用いるほか、熱融着又は超音波接合などが考えられる。
【００６６】
また、突起部１Ｂの形状としては、平面視部分円状に限られず、その他の例えば部分楕円状などの曲線状であっても良い。また、突起部１Ｂは、曲線状のみに限られず、血液提供部位との接触を小さくする形状であれば良く、例えば尖った形状であっても良い。
【００６７】
さらに、突起部１Ｂを有しないものであっても良い。この場合、接触口２に接触した血液が周囲を伝って広がらないように接触口２の周囲に防水処理を施したり、接触口２の周囲に溝を設ける等の加工を施しても良い。
【００６８】
その上、図１０に示すように、接触口２が装置Ｚ内に入らないようにするため、装置の挿入口Ｚ１の開口幅よりも幅が大きい引っ掛かり部１Ｃを備えるものであっても良い。この場合、接触口２は、引っ掛かり部よりも反挿入側（後端面側）に設けるようにする。これにより、誤って接触口２が装置Ｚ内に配置されることを好適に防止することができる。
【００６９】
また、接触口を設ける面は、側面に限られず、上面又は下面であっても良い。
【００７０】
さらに、前記実施形態では、把持部は、被検液分析用チップの反挿入側端部（後端面付近である後端部）であったが、別途、把持部となる構造を設けるようにしても良い。
【００７１】
加えて、前記実施形態の導入路３は、被検液貯留部７を有しないものでも良い。この場合、開口部５の大きさに合わせて導入路３の流路幅を設定するか、導入路３の流路幅に合わせて開口部５の大きさを設定することができる。
【００７２】
また、前記実施形態の被検液分析用チップ１は、非血球成分のみを通過させる血球分離膜６を有し、血液から非血球成分を分離するものであったが、これに限られず、その他の被検液から測定対象成分を分離するものであっても良い。この場合、その被検液及び測定対象成分に合わせて分離膜６を選択する。
【００７３】
さらに、前記実施形態では、電極センサの接触により撓む構造を厚みにより実現しているが、その他、材質を選択することにより撓む構造を実現するようにしても良い。
【００７４】
その他、前述した実施形態や変形実施形態の一部又は全部を適宜組み合わせてよいし、本発明は前記実施形態に限られず、その趣旨を逸脱しない範囲で種々の変形が可能であることは言うまでもない。
【図面の簡単な説明】
【００７５】
【図１】本発明の一実施形態に係る被検液分析用チップ及び濃度測定装置を示す図。
【図２】同実施形態の被検液分析用チップの斜視図。
【図３】同実施形態の被検液分析用チップの平面図。
【図４】Ａ−Ａ線断面図。
【図５】同実施形態の被検液分析用チップの分解斜視図。
【図６】その他の変形実施形態に係る被検液分析用チップの分解斜視図。
【図７】その他の変形実施形態に係る被検液分析用チップの断面図。
【図８】その他の変形実施形態に係る被検液分析用チップの斜視図
【図９】その他の実施形態に係る被検液分析用チップの挿入状態を示す図。
【図１０】その他の変形実施形態に係る被検液分析用チップの平面図。
【符号の説明】
【００７６】
Ｚ・・・測定機器
１・・・被検液分析用チップ
２・・・接触口
３・・・導入路
１Ａ・・・把持部
１Ｂ・・・突起部
【図１】
0005234749.tif 000002
【図２】
0005234749.tif 000003
【図３】
0005234749.tif 000004
【図４】
0005234749.tif 000005
【図５】
0005234749.tif 000006
【図６】
0005234749.tif 000007
【図７】
0005234749.tif 000008
【図８】
0005234749.tif 000009
【図９】
0005234749.tif 000010
【図１０】
0005234749.tif 000011